(57)【要約】      （修正有）【課題】外来ノイズ（特に、人体等に帯電した静電気の放電）に起因する液晶パネルの誤表示を、正常な表示に戻すことが可能な液晶パネルを用いた表示装置を提供する。【解決手段】液晶パネルと、液晶ドライバと、画像データが書き込まれる表示メモリと、表示を制御するデータが書き込まれるレジスタ群と、前記表示メモリに書き込まれた画像データ及び前記レジスタ群に書き込まれたデータに基づいて前記液晶ドライバを制御することで、前記液晶パネルの表示を制御するコントローラとを備えた液晶表示装置において、前記液晶パネルの表示を制御するデータを格納する第１メモリと、前記レジスタ群に前記液晶パネルの表示を制御するデータを書き込むレジスタ書き込み手段とを備え、前記レジスタ書き込み手段は、予め定められたタイミングごとに、前記第１メモリから前記液晶パネルの表示を制御するデータを読み出し、該読み出したデータを前記レジスタ群に書き込む。【選択図】図１
2009282244.tif 000002
【特許請求の範囲】
【請求項１】
液晶パネルと、
液晶ドライバと、
画像データが書き込まれる表示メモリと、
前記液晶パネルの表示を制御するデータが書き込まれるレジスタ群と、
前記表示メモリに書き込まれた画像データ及び前記レジスタ群に書き込まれたデータに基づいて前記液晶ドライバを制御することで、前記液晶パネルの表示を制御するコントローラと、を備えた液晶表示装置において、
前記液晶パネルの表示を制御するデータを格納する第１メモリと、
前記レジスタ群に前記液晶パネルの表示を制御するデータを書き込むレジスタ書き込み手段と、を備え、
前記レジスタ書き込み手段は、予め定められたタイミングごとに、前記第１メモリから前記液晶パネルの表示を制御するデータを読み出し、該読み出したデータを前記レジスタ群に書き込むことを特徴とする液晶表示装置。
【請求項２】
画像データを格納する第２メモリと、
前記表示メモリに画像データを書き込む表示メモリ書き込み手段と、をさらに備え、
前記表示メモリ書き込み手段は、予め定められたタイミングごとに、前記第２メモリから前記画像データを読み出し、該読み出した画像データを前記表示メモリに書き込むことを特徴とする請求項１に記載の液晶表示装置。
【請求項３】
電源スイッチを備え、
前記レジスタ書き込み手段は、前記電源スイッチがオンされた後、前記液晶パネルの表示をオフにするデータを前記レジスタ群のうちの該当レジスタに書き込み、
前記表示メモリ書き込み手段は、前記液晶パネルの表示をオフにするデータが前記レジスタ群のうちの該当レジスタに書き込まれた後、所定データを前記表示メモリに書き込み、
前記レジスタ書き込み手段は、所定データが前記表示メモリに書き込まれた後、前記液晶パネルの表示をオンにするデータを、前記レジスタ群のうちの該当レジスタに書き込むことを特徴とする請求項１又は２に記載の液晶表示装置。
【発明の詳細な説明】
【技術分野】
【０００１】
本発明は、液晶パネルを用いた表示装置に係り、特に外来ノイズに起因する液晶パネルの誤表示を、正常な表示にすることが可能な液晶パネルを用いた表示装置に関する。
【背景技術】
【０００２】
従来、COG(Chip On Glass)等の液晶パネルを用いた表示装置が知られている。
【０００３】
従来の液晶パネルを用いた表示装置は、液晶パネル（液晶セル）、液晶コントローラ・ドライバＩＣ（コモンドライバ、セグメントドライバ、表示メモリ、レジスタ群、コントローラ等を含む）を備えており、表示メモリに書き込まれた画像データ及びレジスタ群に書き込まれた命令等に基づいて各ドライバを制御することにより、液晶パネルの表示を制御する（例えば、表示メモリに書き込まれた画像データを液晶パネルに表示する）ようになっている。
【０００４】
上記従来の液晶パネルを用いた表示装置においては、外来ノイズ（人体等に帯電した静電気の放電等）による誤動作（液晶パネルの表示の誤表示等）を防止する観点より、液晶パネル等を接地されたシールド板金で覆ったり、液晶パネルの片面周囲に、接地された透明電極を形成することが提案されている（例えば、特許文献１、特許文献２参照）。
【特許文献１】特開２００７−２７３９７号公報
【特許文献２】特開２００７−９４２１９号公報
【発明の開示】
【発明が解決しようとする課題】
【０００５】
しかしながら、従来の液晶パネルを用いた表示装置においては、上記物理的な静電気対策を施したとしても、外来ノイズの影響により（特に、人体等に帯電した静電気の放電によって接地まで電荷が移動することによって（すなわち電流が流れることによって）発生する磁界の影響により）、表示メモリ等の内容が書き換えられ、これにより、液晶パネルの表示の誤表示が発生するという問題がある。
【０００６】
本発明は、このような事情に鑑みてなされたものであり、外来ノイズ（特に、人体等に帯電した静電気の放電）に起因する液晶パネルの誤表示を、正常な表示に戻すことが可能な液晶パネルを用いた表示装置を提供することを目的とする。
【課題を解決するための手段】
【０００７】
本発明は上記課題を解決するために、請求項１に記載の発明は、液晶パネルと、液晶ドライバと、画像データが書き込まれる表示メモリと、前記液晶パネルの表示を制御するデータが書き込まれるレジスタ群と、前記表示メモリに書き込まれた画像データ及び前記レジスタ群に書き込まれたデータに基づいて前記液晶ドライバを制御することで、前記液晶パネルの表示を制御するコントローラと、を備えた液晶表示装置において、前記液晶パネルの表示を制御するデータを格納する第１メモリと、前記レジスタ群に前記液晶パネルの表示を制御するデータを書き込むレジスタ書き込み手段と、を備え、前記レジスタ書き込み手段は、予め定められたタイミングごとに、前記第１メモリから前記液晶パネルの表示を制御するデータを読み出し、該読み出したデータを前記レジスタ群に書き込むことを特徴とする。
【０００８】
請求項１に記載の発明によれば、外来ノイズの影響により（特に、人体等に帯電した静電気の放電によって発生する磁界の影響により）、レジスタ群に書き込まれたデータが書き換えられ、これにより、一時的に液晶パネルの表示の誤表示が発生したとしても、レジスタ書き込み手段は、予め定められたタイミングごとに、第１メモリから液晶パネルの表示を制御するデータを読み出し、該読み出したデータをレジスタ群に書き込むため、該液晶パネルの誤表示を元の正常な表示に戻すことが可能となる。
【０００９】
請求項２に記載の発明は、請求項１に記載の発明において、画像データを格納する第２メモリと、前記表示メモリに画像データを書き込む表示メモリ書き込み手段と、をさらに備え、前記表示メモリ書き込み手段は、予め定められたタイミングごとに、前記第２メモリから前記画像データを読み出し、該読み出した画像データを前記表示メモリに書き込むことを特徴とする。
【００１０】
請求項２に記載の発明によれば、外来ノイズの影響により（特に、人体等に帯電した静電気の放電によって発生する磁界の影響により）、表示メモリに書き込まれた画像データが書き換えられ、これにより、一時的に液晶パネルの表示の誤表示が発生したとしても、表示メモリ書き込み手段は、予め定められたタイミングごとに、第２メモリから画像データを読み出し、該読み出した画像データを表示メモリに書き込むため、該液晶パネルの誤表示を元の正常な表示に戻すことが可能となる。
【００１１】
請求項３に記載の発明は、請求項１又は２に記載の発明において、電源スイッチを備え、前記レジスタ書き込み手段は、前記電源スイッチがオンされた後、前記液晶パネルの表示をオフにするデータを前記レジスタ群のうちの該当レジスタに書き込み、前記表示メモリ書き込み手段は、前記液晶パネルの表示をオフにするデータが前記レジスタ群のうちの該当レジスタに書き込まれた後、所定データを前記表示メモリに書き込み、前記レジスタ書き込み手段は、所定データが前記表示メモリに書き込まれた後、前記液晶パネルの表示をオンにするデータを、前記レジスタ群のうちの該当レジスタに書き込むことを特徴とする。
【００１２】
一般に、電源スイッチオン直後の表示メモリには不確定なデータが格納されているので、電源スイッチオン直後の表示メモリの内容を表示すると、意味のない乱れた表示が表示されることとなる。
【００１３】
請求項３に記載の発明によれば、電源スイッチオンの後、液晶パネルの表示がオフの状態の下、まず表示メモリに所定データの書き込みを行い、該所定データの書き込みが完了した後、液晶パネルの表示をオンにする（表示メモリの内容を表示する）ので、電源スイッチオン後、乱れた表示が表示されるのを防止することが可能となる。
【発明の効果】
【００１４】
本発明によれば、外来ノイズ（特に、人体等に帯電した静電気の放電）に起因する液晶パネルの誤表示を、正常な表示に戻すことが可能な液晶パネルを用いた表示装置を提供することが可能となる。
【発明を実施するための最良の形態】
【００１５】
以下、本発明の一実施形態である液晶パネルを用いた表示装置について図面を参照しながら説明する。
【００１６】
図１は、本発明の一実施形態である液晶パネルを用いた表示装置の回路ブロック図である。
【００１７】
本実施形態の液晶パネルを用いた表示装置１００は、コンセントに接続される電源コードを有するプリンタ等の電気機器２００に適用されるものであり、図１に示すように、液晶モジュール１０、液晶制御用ＣＰＵ２０、第１メモリ３０、第２メモリ４０等を備えている。
【００１８】
液晶モジュール１０は、COG(Chip On Glass)タイプの液晶モジュールであり、STN(Super Twisted Nematic)タイプの液晶パネル１１（液晶セル）、該液晶パネル１１を構成するガラス基板上に実装された液晶コントローラ・ドライバＩＣ１２（例えばＥＰＳＯＮ社、Ｓ１Ｄ１５７０５シリーズ）を備えている。なお、液晶パネル１１は、TNタイプ、TFTタイプ等の他のタイプの液晶パネルであってもよい。
【００１９】
液晶コントローラ・ドライバＩＣ１２は、コントローラ１２ａ（Ｉ／Ｆ制御回路１２ａ１及びレジスタ群１２ａ２を含む）、表示メモリ１２ｂ、コモンドライバ１２ｃ、セグメントドライバ１２ｄ等を備えている。
【００２０】
コントローラ１２ａは、表示メモリ１２ｂに書き込まれた画像データ及びレジスタ群１２ａ２に書き込まれたデータに基づいて液晶ドライバ（コモンドライバ１２ｃ及びセグメントドライバ１２ｄ）を制御することで、液晶パネル１１の表示を制御する（例えば、表示メモリ１２ｂに書き込まれた画像データを液晶パネル１１に表示する）。
【００２１】
コントローラ１２ａは、表示メモリ１２ｂに画像データが書き込まれると、液晶ドライバ（コモンドライバ１２ｃ及びセグメントドライバ１２ｄ）に対して自動的に制御信号を出力する。液晶ドライバ（コモンドライバ１２ｃ及びセグメントドライバ１２ｄ）は、コントローラ１２ａからの制御信号を受けて液晶パネル１１に電圧を印加することで、該液晶パネル１１を駆動し所定表示を表示する。
【００２２】
液晶制御用ＣＰＵ２０は、液晶モジュール１０（Ｉ／Ｆ制御回路１２ａ１）、液晶パネル１１の表示を制御するデータを格納する第１メモリ３０、画像データを格納する第２メモリ４０それぞれに、バスラインＢを介して接続されている。液晶制御用ＣＰＵ２０は、ＲＡＭ等のメモリ（図示せず）に読み込まれた所定プログラムを実行することにより、レジスタ群１２ａ２に液晶パネル１１の表示を制御するデータを書き込むレジスタ書き込み手段、表示メモリに画像データを書き込む表示メモリ書き込み手段として機能する。
【００２３】
次に、上記構成の液晶パネル１１を用いた表示装置１００（以下液晶表示装置１００ともいう）の動作例について図面を参照しながら説明する。
【００２４】
図２は、液晶表示装置１００の動作を説明するためのフローチャートである。図３は、図２に示したフローチャートをより詳細にしたフローチャートである。
【００２５】
電源スイッチ（図示せず）をオンすると（ステップＳ１）、表示装置１００は、リセットシーケンス（リセット制御用ＩＣなどによるリセット回路等）の動作により、液晶モジュール１０を含む装置各部のハードリセットを実行する（ステップＳ２）。
【００２６】
一般に、電源スイッチオン直後の表示メモリ１２ｂには不確定なデータが格納されているので（すなわち、どのようなデータが格納されているか保証されていないので）、電源スイッチオン直後の表示メモリ１２ｂの内容を表示すると、意味のない乱れた表示が表示されることとなる。この意味のない乱れた表示が表示されるのを防止するため、次の処理を行う。
【００２７】
まず、レジスタ書き込み手段としての液晶制御用ＣＰＵ２０は、電源スイッチがオンされた後、液晶パネル１１の表示をオフにするデータ（コマンドともいう）を、レジスタ群１２ａ２のうちの該当レジスタに書き込む（ステップＳ３）。次に、液晶制御用ＣＰＵ２０は、コントローラ１２ａに対して初期設定を行う（ステップＳ４）。すなわち、レジスタ書き込み手段としての液晶制御用ＣＰＵ２０は、第１メモリ３０から液晶パネルの表示を制御するデータを読み出し、該読み出したデータをレジスタ群１２ａ２それぞれに書き込む。
【００２８】
次に、表示メモリ書き込み手段としての液晶制御用ＣＰＵ２０は、初期データ（００ｈ）をセットし（ステップＳ５）、該セットしたデータを表示メモリ１２ｂに書き込む（ステップＳ６）。一般に、表示メモリ１２ｂに書き込まれたデータ「０」は、液晶パネル１１の表示をクリア（何も表示していない状態に）することと同じ意味である。表示メモリ書き込み手段としての液晶制御用ＣＰＵ２０は、この書き込み（ステップＳ５、Ｓ６）を、液晶パネル１１の表示画素数分、繰り返し実行する（ステップＳ７）。
【００２９】
そして、レジスタ書き込み手段としての液晶制御用ＣＰＵ２０は、初期データが表示メモリ１２ｂに書き込まれた後（ステップＳ５〜Ｓ７）、液晶パネル１１の表示をオンにするデータ（コマンドともいう）をレジスタ群１２ａ２のうちの該当レジスタに書き込む（ステップＳ８）。
【００３０】
コントローラ１２ａは、表示メモリ１２ｂに書き込まれた初期データ（００ｈ）及びレジスタ群１２ａ２に書き込まれたデータに基づいて液晶ドライバ（コモンドライバ１２ｃ及びセグメントドライバ１２ｄ）を制御することで、液晶パネル１１の表示を制御する。これにより、クリアされた画面が液晶パネル１１に表示されることとなる。
【００３１】
以上ステップＳ３〜Ｓ８の処理により、電源スイッチオン（ステップＳ１）後、乱れた表示ではなく、クリアされた画面が液晶パネル１１に表示されることとなる。
【００３２】
次に、レジスタ書き込み手段としての液晶制御用ＣＰＵ２０は、コントローラ１２ａに対して再設定を行う（ステップＳ９）。すなわち、レジスタ書き込み手段としての液晶制御用ＣＰＵ２０は、表示データの更新の有無に係わらず、予め定められたタイミングごとに（例えば数秒間隔）、第１メモリ３０から同一のデータ（液晶パネルの表示を制御するデータ）を読み出し、該読み出したデータをレジスタ群１２ａ２それぞれに再度書き込む。
【００３３】
このため、仮に、外来ノイズの影響により（特に、人体等に帯電した静電気の放電によって発生する磁界の影響により）、レジスタ群１２ａ２に書き込まれたデータが書き換えられ、これにより、一時的に液晶パネル１１の表示の誤表示が発生したとしても、表示データの更新の有無に係わらず、予め定められたタイミングごとに（例えば数秒間隔）、元のデータ（液晶パネルの表示を制御するデータ）がレジスタ群１２ａ２それぞれに再度書き込まれることとなり、該液晶パネル１１の誤表示を元の正常な表示に戻すことが可能となる。
【００３４】
次に、液晶制御用ＣＰＵ２０は、表示データの更新の有無を判定する（ステップＳ１０）。例えば、本実施形態の表示装置１００が適用された電気機器の画面切替ボタン（図示せず）等が押圧されない場合に、液晶制御用ＣＰＵ２０は、表示データの更新無しと判定し（ステップＳ１０：Ｎｏ）、この場合、表示メモリ書き込み手段としての液晶制御用ＣＰＵ２０は、表示データの更新の有無に係わらず、予め定められたタイミングごとに、第２メモリ４０から同一の画像データ（例えば第１画像データ）を読み出し、該読み出した画像データ（例えば第１画像データ）を表示メモリ１２ｂに再度書き込む（ステップＳ１１、Ｓ１２）。表示メモリ書き込み手段としての液晶制御用ＣＰＵ２０は、この書き込み（ステップＳ１１、Ｓ１２）を、液晶パネル１１の表示画素数分、繰り返し実行する（ステップＳ１３）。これにより、液晶パネル１１には、該書き込まれた画像データ（例えば第１画像データ）の画像が表示されることとなる。
【００３５】
このため、仮に、外来ノイズの影響により（特に、人体等に帯電した静電気の放電によって発生する磁界の影響により）、表示メモリ１２ｂに書き込まれた画像データ（例えば第１画像データ）が書き換えられ、これにより、一時的に液晶パネル１１の表示の誤表示が発生したとしても、表示データの更新の有無に係わらず、予め定められたタイミングごとに（例えば数秒間隔）、元の画像データ（例えば第１画像データ）が表示メモリ１２ｂに再度書き込まれることとなり、該液晶パネル１１の誤表示を元の正常な表示に戻すことが可能となる。
【００３６】
一方、例えば、表示装置１００が適用された電気機器の画面切替ボタン（図示せず）等が押圧された場合に、液晶制御用ＣＰＵ２０は、表示データの更新有りと判定し（ステップＳ１０：Ｙｅｓ）、この場合、レジスタ書き込み手段としての液晶制御用ＣＰＵ２０は、第２メモリ４０から該当の画像データ（例えば第２画像データ）を読み出し、該読み出した画像データ（例えば第２画像データ）を表示メモリ１２ｂに書き込む（ステップＳ１４、Ｓ１５）。レジスタ書き込み手段としての液晶制御用ＣＰＵ２０は、この書き込み（ステップＳ１４、Ｓ１５）を、液晶パネル１１の表示画素数分、繰り返し実行する（ステップＳ１６）。これにより、液晶パネル１１には、該書き込まれた画像データ（例えば第２画像データ）の画像が表示されることとなる。
【００３７】
そして、液晶制御用ＣＰＵ２０は、以後上記ステップＳ９〜１６の処理を繰り返す。
【００３８】
以上説明したように、本実施形態の液晶パネル１１を用いた表示装置１００によれば、外来ノイズの影響により（特に、人体等に帯電した静電気の放電によって発生する磁界の影響により）、レジスタ群１２ａ２に書き込まれたデータが書き換えられ、これにより、一時的に液晶パネル１１の表示の誤表示が発生したとしても、レジスタ書き込み手段としての液晶制御用ＣＰＵ２０は、表示データの更新の有無に係わらず、予め定められたタイミングごとに、第１メモリ３０から同一のデータ（液晶パネルの表示を制御するデータ）を読み出し、該読み出したデータをレジスタ群１２ａ２それぞれに書き込むため、該液晶パネル１１の誤表示を元の正常な表示に戻すことが可能となる。
【００３９】
また、本実施形態の液晶パネル１１を用いた表示装置１００によれば、外来ノイズの影響により（特に、人体等に帯電した静電気の放電によって発生する磁界の影響により）、表示メモリ１２ｂに書き込まれた画像データが書き換えられ、これにより、一時的に液晶パネル１１の表示の誤表示が発生したとしても、表示メモリ書き込み手段としての液晶制御用ＣＰＵ２０は、表示データの更新の有無に係わらず、予め定められたタイミングごとに、第２メモリ４０から同一の画像データを読み出し、該読み出した画像データを表示メモリ１２ｂに書き込むため、該液晶パネル１１の誤表示を元の正常な表示に戻すことが可能となる。
【００４０】
また、本実施形態の液晶パネル１１を用いた表示装置１００によれば、電源スイッチオンの後、液晶パネル１１の表示がオフの状態の下、まず表示メモリ１２ｂに初期データ（００ｈ）の書き込みを行い、該初期データの書き込みが完了した後、液晶パネル１１の表示をオンにする（表示メモリの内容を表示する）ので、電源スイッチオン後、乱れた表示が表示されるのを防止することが可能となる。
【００４１】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００４２】
【図１】本実施形態の液晶表示装置の回路ブロック図である。
【図２】本実施形態の液晶表示装置の動作を説明するためのフローチャートである。
【図３】本実施形態の液晶表示装置の動作を説明するためのフローチャートである。
【符号の説明】
【００４３】
１００…液晶表示装置、１０…液晶モジュール、１１…液晶パネル、１２…液晶コントローラ・ドライバＩＣ、１２ａ…コントローラ、１２ａ１…Ｉ／Ｆ制御回路、１２ａ２…レジスタ群、１２ｂ…表示メモリ、１２ｃ…コモンドライバ、１２ｄ…セグメントドライバ、２０…液晶制御用ＣＰＵ、３０…第１メモリ、４０…第２メモリ
【図１】
2009282244.tif 000003
【図２】
2009282244.tif 000004
【図３】
2009282244.tif 000005